(57)【要約】【課題】ページ間での画像の相似性が高い印刷データを省メモリで高速に出力する画像形成装置に提供。【解決手段】複数のページ間で画素データの比較を行い、同一の画素と判定された画素データについてはＲＡＭやＨＤＤに記憶するデータの対象から外す手段と、その画素データに対応する像域フラグに同一の画素データであることを示すフラグを設定し、回転等の各種画像処理を差分画素データと像域フラグに対して行う。【選択図】        図２
2006218805.tif 000002
【特許請求の範囲】
【請求項１】
外部機器から入力される複数のページの印刷データを、ビットマップデータに変換して１次記憶装置及び２次記憶装置に記憶しながら出力を行う装置であって、
ビットマップデータに含まれる各画素データに対して画素の特徴を示す画素属性情報を付加するための画素属性情報付加手段と、
前記画素属性情報付加手段によって付加された画素属性情報をビットマップデータと対応付けて１次記憶装置及び２次記憶装置に記憶するための画素属性情報記憶手段と、
複数のページのビットマップデータを画素単位で比較する画素データ比較手段と、
前記画素データ比較手段によって同一画素データと判断された画素データに対応する画素属性情報の値を変更するための画素属性情報変更手段と、
ビットマップデータに含まれる画素データのうち画素属性情報が特定の値に設定されている画素データのみを１次記憶装置及び２次記憶装置に記憶する特定画素データ記憶手段と、
１次記憶装置に記憶されているビットマップデータと前記特定画素データ記憶手段によって１次記憶装置もしくは２次記憶装置に記憶されている画素データを合成して１つのビットマップデータを構成する画素データ合成手段と
を備えることを特徴とする画像形成装置。
【請求項２】
前記特定画素データ記憶手段で記憶されたデータに対して回転するための画像処理を施す手段を
を備えることを特徴とする請求項１に記載の画像形成装置。
【請求項３】
前記特定画素データ記憶手段で記憶されたデータに対して拡大変換及び縮小変換するための画像処理を施す手段を備えることを特徴とする請求項１に記載の画像形成装置。
【請求項４】
前記特定画素データ記憶手段で記憶されたデータに対して解像度変換するための画像処理を施す手段を備えることを特徴とする請求項１に記載の画像形成装置。
【請求項５】
前記特定画素データ記憶手段で記憶されたデータに対して色空間変換するための画像処理を施す手段を備えることを特徴とする請求項１に記載の画像形成装置。
【請求項６】
ビットマップデータ中の特定の画素属性情報が設定されている画素データに対して、可逆もしくは非可逆の圧縮処理を施すための特定画素データ圧縮手段と、
前記特定画素データ圧縮手段によって圧縮された画素データを伸張して元の画素データに復元するための特定画素データ伸張手段を備えることを特徴とする請求項２から５いずれかに記載の画像形成装置。
【請求項７】
ビットマップデータに付加された画素属性情報に対して、可逆もしくは非可逆の圧縮処理を施すための画素属性情報データ圧縮手段と、
前記画素属性情報圧縮手段によって圧縮された画素属性情報を伸張して元の画素属性情報に復元するための画素属性情報伸張手段とを備えることを特徴とする請求項２から６いずれかに記載の画像形成装置。
【発明の詳細な説明】
【技術分野】
【０００１】
本発明画像形成装置に関し、ホストコンピュータやスキャナのような外部機器から入力された複数のページを含む印刷データをビットマップデータに変換して内部の記憶装置に記憶しながら出力する画像形成装置に適用される。特にページ間での画像の相似性が高い印刷データに対して有効に適用される。
【背景技術】
【０００２】
従来、ホストコンピュータやスキャナのような外部機器から入力された複数のページを含む印刷データをビットマップデータに変換して内部の記憶装置に記憶させる場合は、ビットマップデータに含まれる画素データに変更を加えることなく記憶装置に記憶していた。
【０００３】
また、ビットマップデータを記憶するための記憶容量の削減を図るために、可逆もしくは非可逆のデータ圧縮処理を施して記憶装置に格納する手段が知られている。
【０００４】
また、複数ページの画像データを記憶装置に記憶する場合、あらかじめ記憶されている画像データの差分のデータのみを記憶装置に記憶する手段も一般的に知られている。
【０００５】
また、特許文献１で述べられているように、記憶装置に記憶されている定型フォーマットと受信した画像データを組み合わせて１つのビットマップデータを構成する手段が知られている。
【特許文献１】特開平６−７８１６４号公報
【発明の開示】
【発明が解決しようとする課題】
【０００６】
しかしながら上記従来例では、膨大なページ数の画像データを記憶装置に記憶する場合、印刷データに含まれる全てのページのビットマップデータのサイズの和が、機器に装備されている記憶装置の記憶容量を越えてしまう場合があり、画像形成装置に入力した印刷データを出力できないという問題があった。
【０００７】
前記問題は、複数のページ間での画像の相似性が高い印刷データに対しても同様に発生する問題である。
【０００８】
また、前記問題を回避するために、あらかじめ記憶装置に記憶されている画像データの差分のデータのみを記憶装置に記憶する場合、外部機器で生成される印刷データ中に先に生成されるページの画像と同一の画像であることを示す識別子を設ける手段が必要となり、全体のシステム構成が複雑になるという問題がある。
【０００９】
また、記憶装置に記憶されているビットマップデータの画像変換処理を行う際に、例え複数のページ間での画像の相似性が高い印刷データであっても、全てのページの全ての画素に対して同様の画像処理を行う必要があるため、画像処理に要する時間を短縮することが出来ないという問題もあった。
【００１０】
本発明はかかる問題点を解決するために成されたもので、ホストコンピュータやスキャナのような外部機器から入力された複数のページを含む印刷データをビットマップデータに変換して画像形成装置内部の記憶装置に記憶させる場合に必要となる記憶容量を削減することを目的とする。
【００１１】
また、画像形成装置内部の記憶装置に記憶されたビットマップデータに画像変換を施す際に要する時間の短縮を図ることを目的とする。
【課題を解決するための手段】
【００１２】
上記問題点を解決するために、本発明ではビットマップデータに含まれる各画素データに対して画素の特徴を示す画素属性情報を付加する手段と、画素属性情報をビットマップデータと対応付けて次記憶装置に記憶する手段と、複数のページのビットマップデータを画素単位で比較する手段と、複数のページ間の画素データを比較することによって検出された同一画素データに対応する画素属性情報の値を変更する手段と、ビットマップデータ中の特定の画素属性情報が設定されている画素データのみを記憶装置に記憶する手段と、記憶装置に記憶されているビットマップデータと特定の値に設定されている画素属性情報を持つ画素データを合成して１つのビットマップデータを構成する手段を備える。
【００１３】
また、ビットマップデータ中の特定の画素属性情報が設定されている画素データと画素属性情報に対して各種の画像処理を施すための手段を備える。
【００１４】
なお、さらに説明すれば、本発明の第一の発明について下記のように示す。
【００１５】
（１）外部機器から入力される複数のページの印刷データを、ビットマップデータに変換して１次記憶装置及び２次記憶装置に記憶しながら出力を行う装置であって、ビットマップデータに含まれる各画素データに対して画素の特徴を示す画素属性情報を付加するための画素属性情報付加手段と、前記画素属性情報付加手段によって付加された画素属性情報をビットマップデータと対応付けて１次記憶装置及び２次記憶装置に記憶するための画素属性情報記憶手段と、複数のページのビットマップデータを画素単位で比較する画素データ比較手段と、前記画素データ比較手段によって同一画素データと判断された画素データに対応する画素属性情報の値を変更するための画素属性情報変更手段と、ビットマップデータに含まれる画素データのうち画素属性情報が特定の値に設定されている画素データのみを１次記憶装置及び２次記憶装置に記憶する特定画素データ記憶手段と、１次記憶装置に記憶されているビットマップデータと前記特定画素データ記憶手段によって１次記憶装置もしくは２次記憶装置に記憶されている画素データを合成して１つのビットマップデータを構成する画素データ合成手段とを備えることを特徴とする画像形成装置。
【発明の効果】
【００１６】
本発明により、印刷データを生成する外部機器に特別な処理を追加すること無しに、画像形成装置の記憶装置に記憶するためのデータ容量を削減することが可能となる。また、画像形成装置の記憶装置に記憶されている画像データの画像返還処理に要する時間を短縮することが可能となる。
【発明を実施するための最良の形態】
【００１７】
以下本発明を実施するための最良の形態を、実施例により詳しく説明する。
【実施例１】
【００１８】
図１は本発明が適用される実施例１の画像形成装置の概観図である。
【００１９】
図中１００１は画像形成装置の操作者が機器の操作を行うための操作部である。
【００２０】
１００２は原稿等の入力媒体を光学的にスキャンするためのスキャナ部であり、読み取るための原稿を搬送するための搬送部１００３、１００４を含む。
【００２１】
１００５は機器内部に保持してある画像データを用紙等の物理媒体に出力するためのプリント部であり、用紙等の物理媒体を保持、供給するための給紙部１００７、１００８、１００９と印刷された物理媒体を排出するための排紙部１００６、１０１０を含む。
【００２２】
本画像形成装置はホストコンピュータとイーサネット(登録商標)ケーブルによって接続される。
【００２３】
図２は本発明が適用される実施例１の画像形成装置のハードウェア構成を示すブロック図である。
【００２４】
２００１は画像形成装置のコントローラハードウェアのコントローラである。
【００２５】
２００２は機器の操作を行うための操作部である。
【００２６】
２００３は外部機器とネットワークによって接続を行うためのネットワークケーブルである。
【００２７】
２００４は外部機器と電話回線によって接続を行うための回線ケーブルである。
【００２８】
２００５はコントローラ２００１全体を制御するためのプログラムを動作させるＣＰＵである。
【００２９】
２００６はＣＰＵ上で動作するプログラムによって管理されるＲＡＭである。ＲＡＭ２００６には外部から受信したデータを一時的に蓄えるための受信バッファやＲＩＰによってラスタライズされた画像データを一時的に蓄えるための画像データバッファ等の目的で使用される。
【００３０】
２００７は操作部とコントローラ２００１を接続するためのインターフェースである。
【００３１】
２００８はコントローラ２００１とネットワークを接続するためのインターフェースである。
【００３２】
２００９はコントローラ２００１と電話回線を接続するためのインターフェースである。
【００３３】
２０１０はＣＰＵ２００５上で動作するプログラムやデータ等を格納するためのＲＯＭである。
【００３４】
２０１１はさまざまなデータを長期的に保存することが可能な不揮発性の記憶装置であるハードディスクである。
【００３５】
２０１２はＣＰＵバスである。
【００３６】
２０２４は画像処理を行うためのハードウェア群に接続されたイメージバスである。
【００３７】
２０１３はＣＰＵバス２０１２とイメージバス２０２４を接続するためのインターフェースである。
【００３８】
２０２１は外部から入力される画像記述データをビットマップイメージデータに変換する機能を有するラスタライズボード（ＲＩＰ）である。
【００３９】
２０１４は画像転送バス２０１８によってＲＩＰ２０２１とイメージバス２０２４を接続するためのインターフェースである。
【００４０】
２０１５はデータを圧縮・伸張するためのデータ圧縮装置である。データ圧縮装置２０１５ではビットマップデータと画像属性情報データに対して圧縮・伸張処理を施すことが可能である。
【００４１】
２０２２はスキャナユニットである。
【００４２】
２０２３はプリンタユニットである。
【００４３】
２０１６はデータバス２０１９、２０２０によってスキャナ及びプリンタをイメージバス２０２４に接続するためのインターフェースである。
【００４４】
２０１７はＲＡＭ２００６に格納されている画像データの各種画像変換処理を行うための画像処理装置である。
【００４５】
画像処理装置２０１７では、ビットマップデータの画像合成処理、画像回転処理、画像拡大処理、画像縮小処理、解像度変換処理、色空間変換処理を行うことが可能である。
【００４６】
図３は本発明が適用される実施例１の画像形成装置で用いられる画像属性情報とビットマップデータの関係を示すブロック図である。
【００４７】
３００１は外部機器において作成された１ページ目の画像データであり、画像形成装置２００１に入力された後にＲＡＭ２００６上に展開されるビットマップデータである。
【００４８】
３００２は外部機器において作成された２ページ目の画像データであり、画像形成装置２００１に入力された後にＲＡＭ２００６上に展開されるビットマップデータである。
【００４９】
３００３は１ページ目の画像データ３００１と２ページ目の画像データ３００２の画素単位での比較を行った結果、画像データ３００１と画像データ３００２で同一の画素データであると判断された部分を示す画素属性情報を示すデータである。
【００５０】
本実施例では、同一の画素データと判別された画素を１、異なる画素データと判断された画素は０として画素属性情報を構成するものとする。
【００５１】
３００４は１ページ目の画像データとしてＲＡＭ２００６もしくはＨＤＤ２０１１上に記憶される画像データである。
【００５２】
３００５は２ページ目の画像データとしてＲＡＭ２００６もしくはＨＤＤ２０１１上に記憶される画像データである。
【００５３】
画像データ３００５は画像属性情報データ３００３を論理的に反転させたデータとビットマップデータ３００２の各画素データの論理的なＡＮＤ演算を行うことにより生成される。
【００５４】
図４は本発明が適用される実施例１の画像形成装置の記憶装置に記憶されるデータの構造を示すブロック図である。
【００５５】
４００１はＲＡＭ２００６もしくはＨＤＤ２０１１上に記憶される画像データを管理するための画像データ管理テーブルである。
【００５６】
画像データ管理テーブル４００１にはページを識別するためのページ番号４００２と画像データのサイズを管理するための画像データサイズ４００３と画像データの記憶先を管理するための画像データアドレス４００４が含まれる。
【００５７】
４００５は画像データが記憶されている領域であり、物理的にはＲＡＭ２００６もしくはＨＤＤ２０１１上の領域の一部である。
【００５８】
４００６はＲＡＭ２００６もしくはＨＤＤ２０１１上に記憶される画像属性情報データを管理するための画像属性情報データ管理テーブルである。
【００５９】
画像属性情報データ管理テーブル４００６にはページを識別するためのページ番号４００７と画像属性情報データのサイズを管理するための画像データサイズ４００８と画像属性情報データの記憶先を管理するための画像属性情報データアドレス４００９が含まれる。
【００６０】
４０１０は画像属性情報データが記憶されている領域であり、物理的にはＲＡＭ２００６もしくはＨＤＤ２０１１上の領域の一部である。
【００６１】
図５は本発明が適用される実施例１の画像形成装置の画像データのフローを示すブロック図である。
【００６２】
５００１はＲＡＭ２００６もしくはＨＤＤ２０１１に記憶されている１ページ目の画像データである。
【００６３】
５００２はＲＡＭ２００６もしくはＨＤＤ２０１１に記憶されている２ページ目の画像データである。
【００６４】
５００３はＲＡＭ２００６もしくはＨＤＤ２０１１に記憶されている２ページ目の画像属性情報データである。
【００６５】
５００４はＲＡＭ２００６上に展開された２ページ目の画像データである。
【００６６】
５００５はＲＡＭ２００６上に展開された１ページ目と２ページ目の差分からなる画像データであり、１ページ目の画像データ５００１と２ページ目の画像属性情報データ５００３の各画素データの論理的なＡＮＤ演算を行うことにより生成される。
【００６７】
５００６は画像データ５００４と画像データ５００５を合成することにより生成される画像データである。
【００６８】
５００６は外部機器で生成された２ページ目の画像データと一致している。
【００６９】
図７、図８は本発明が適用される実施例１の画像形成装置のコントローラハードウェア２００１内で動作する制御プログラムの制御手段を示すフロチャートである。
【００７０】
以下に、図７、図８に示すフロチャートを用いて本発明が適用される実施例１の制御について説明する。
【００７１】
なお、図中の記憶装置１はＲＡＭ２００６等の高速アクセス可能な記憶装置を、記憶装置２はＨＤＤ２０１１のような大容量記憶装置を想定している。
【００７２】
また、ページバッファは１ページ分の画像データを格納するメモリでありＲＡＭ２００６上に構築される。
【００７３】
ページバッファはデバイスＩ／Ｆ２０１６を介してプリンタ２０２３へ画像データを出力したり、ＨＤＤ２０１１へ画像データを各様するための中間的なメモリである。
【００７４】
また、画像処理バッファは画像処理装置２０１７で画像処理を行うための一時的なワークメモリである。
【００７５】
図７は外部機器から入力された印刷データを画像データに変換して記憶装置２へ格納する処理を示すフロチャートである。
【００７６】
まず、Ｓ７００１においてデータの受信待ち状態に移行する。
【００７７】
Ｓ７００１においてデータが受信されたと判断された場合はＳ７００２へ移行する。
【００７８】
Ｓ７００２では画像データ管理テーブル４００１と画像属性情報データ管理テーブル４００６の初期化処理を行う。
【００７９】
Ｓ７００３では、Ｓ７００１で受信したデータの解析処理を行い、１ページ目のビットマップデータを生成してページバッファ１に記憶する。
【００８０】
Ｓ７００４ではページバッファ１に記憶されているデータを１ページ目の画像データとして記憶装置２に記憶する。
【００８１】
その際に、画像データ管理テーブル４００１の画像データサイズ４００３に画像データのサイズを記憶し、画像データアドレス４００４に画像データを記憶した記憶装置２上のアドレスを記憶する。
【００８２】
Ｓ７００５ではＳ７００１で受信した印刷データ中にまだ解析していないデータが存在するか否かの判断を行う。
【００８３】
Ｓ７００５において、Ｓ７００１で受信した印刷データ中に含まれる全てのページの解析処理が終了したと判断された場合はＳ７００１のデータ受信待ち状態に移行する。
【００８４】
Ｓ７００５においてＳ７００１で受信した印刷データ中にまだ解析していないデータが存在すると判断された場合にはＳ７００６へ移行する。
【００８５】
Ｓ７００６では印刷データ中に含まれる次のページの解析処理を行い、次のページのビットマップデータを生成してページバッファ２に記憶する。
【００８６】
Ｓ７００７ではページバッファ１とページバッファ２のデータの画素単位でのデータ比較処理を行い、同一画素と判断された画素を１に設定して画像属性情報データとして記憶装置１に記憶する。
【００８７】
Ｓ７００８ではページバッファ２に記憶されているデータと画像属性情報データを反転させたデータとの論理積演算を行い、結果として算出されたデータを次のページの画像データとして記憶装置２に記憶する。
【００８８】
その際に、画像データ管理テーブル４００１の画像データサイズ４００３に画像データのサイズを記憶し、画像データアドレス４００４に画像データを記憶した記憶装置２上のアドレスを記憶する。
【００８９】
Ｓ７００９ではＳ７００８で生成された画像属性情報データを記憶装置２に記憶する。
【００９０】
その際に、画像属性情報データ管理テーブル４００６の画像属性情報データサイズ４００８に画像属性情報データのサイズを記憶し、画像属性情報データアドレス４００９に画像属性情報データを記憶した記憶装置２上のアドレスを記憶する。
【００９１】
Ｓ７０１０ではページバッファ１に格納されているデータの破棄を行う。
【００９２】
Ｓ７０１１ではページバッファ２をページバッファ１と定義しなおしＳ７００５へ移行する。
【００９３】
Ｓ７００１で受信した印刷データ中に解析を行うべきページがなくなるまでＳ７００５からＳ７０１１までの処理を繰り返し実行することにより、印刷データ中に含まれている全ての画像データと画像属性情報データを生成して記憶装置２に記憶することが可能となる。
【００９４】
図８は記憶装置２に記憶されている画像データと画像属性情報データをプリンタ２０２３へ出力するための処理を示すフロチャートである。
【００９５】
出力処理が開始されるとＳ８００１において画像データ管理テーブルＳ４００１と画像属性情報管理テーブルＳ４００６を参照しながら、１ページ目の画像データをページバッファに読み出す。
【００９６】
Ｓ８００２において、ページバッファに読み出されたデータをプリンタ２０２３に出力する。
【００９７】
Ｓ８００３において画像データ管理テーブルＳ４００１にまだ出力していない画像データが存在するか否かの判断を行う。
【００９８】
Ｓ８００３において画像データ管理テーブルＳ４００１に存在している画像データの全ての出力処理が終了したと判断された場合には本出力処理を終了する。
【００９９】
Ｓ８００３において画像データ管理テーブルＳ４００１にまだ出力していない画像データが存在すると判断された場合はＳ８００４へ移行する。
【０１００】
Ｓ８００４では、ページバッファに格納されている画像データと次ページの画像属性情報データとの論理積の演算を行い差分画像データとして記憶装置１に記憶する。
【０１０１】
Ｓ８００５では、次のページの画像データを記憶装置２から記憶装置１へ画像データとして読み出す。
【０１０２】
Ｓ８００６では、Ｓ８００４で生成された差分画像データとＳ８００５で読み出された画像データの合成処理を行ってページバッファに記憶してＳ８００２の出力処理に移行する。
【実施例２】
【０１０３】
図６は本発明が適用される実施例２の画像形成装置の画像データの画像処理のフローを示すブロック図である。
【０１０４】
本実施例では画像処理として記憶装置２から読み出した画像データに回転処理を施して記憶装置２へ記憶する構成を説明する。
【０１０５】
６００１はＲＡＭ２００６もしくはＨＤＤ２０１１に記憶されている１ページ目の画像データである。
【０１０６】
６００２はＲＡＭ２００６もしくはＨＤＤ２０１１に記憶されている１ページ目の画像属性情報データである。
【０１０７】
６００３はＲＡＭ２００６もしくはＨＤＤ２０１１に記憶されている２ページ目の画像データである。
【０１０８】
６００４は画像データ６００１を画像処理装置２０１７によって９０°回転された後にＲＡＭ２００６もしくはＨＤＤ２０１１に記憶される画像データである。
【０１０９】
６００５は画像属性情報データ６００２を画像処理装置２０１７によって９０°回転された後にＲＡＭ２００６もしくはＨＤＤ２０１１に記憶される画像属性情報データである。
【０１１０】
６００６は画像データ６００３を画像処理装置２０１７によって９０°回転された後にＲＡＭ２００６もしくはＨＤＤ２０１１に記憶される画像データである。
【０１１１】
図９は本発明が適用される実施例２の画像形成装置のコントローラハードウェア２００１内で動作する制御プログラムの制御手段を示すフロチャートである。
【０１１２】
以下に、図８に示すフロチャートを用いて本発明が適用される実施例２の制御について説明する。
【０１１３】
Ｓ９００１において、画像データ管理テーブル４００１を参照しながら、記憶装置２から画像データを画像処理バッファに読み出す。
【０１１４】
Ｓ９００２において、画像処理バッファに読み出された画像に対して画像処理装置２０１７を用いて画像回転処理を施す。
【０１１５】
Ｓ９００３において、画像処理バッファに記憶されているデータを記憶装置２へ記憶する。
【０１１６】
その際に、画像データ管理テーブル４００１の画像データサイズ４００３に画像データのサイズを記憶し、画像データアドレス４００４に画像データを記憶した記憶装置２上のアドレスを記憶する。
【０１１７】
Ｓ９００４において、画像属性情報データ管理テーブル４００６を参照しながら、記憶装置２から画像属性情報データを画像処理バッファに読み出す。
【０１１８】
Ｓ９００５において、画像処理バッファに読み出された画像に対して画像処理装置２０１７を用いて画像回転処理を施す。
【０１１９】
Ｓ９００６において、画像処理バッファに記憶されているデータを記憶装置２へ記憶する。
【０１２０】
その際に、画像属性情報データ管理テーブル４００６の画像属性情報データサイズ４００８に画像属性情報データのサイズを記憶し、画像属性情報データアドレス４００９に画像属性情報データを記憶した記憶装置２上のアドレスを記憶する。
【０１２１】
Ｓ９００７において画像データ管理テーブルＳ４００１にまだ画像回転処理を行っていない画像データが存在するか否かの判断を行う。
【０１２２】
Ｓ９００７において画像データ管理テーブルＳ４００１に存在している画像データの全ての画像回転処理が終了したと判断された場合には本画像処理を終了する。
【０１２３】
Ｓ９００７において画像データ管理テーブルＳ４００１にまだ画像回転処理を行っていない画像データが存在すると判断された場合はＳ９００１へ移行して次のページの画像処理を開始する。
【図面の簡単な説明】
【０１２４】
【図１】本発明の画像形成装置の概観を示す図
【図２】本発明の画像形成装置のコントローラハードウェアの構造を示すブロック図
【図３】本発明の画像形成装置の画像属性情報とビットマップデータの関係を示すブロック図
【図４】本発明の画像形成装置の記憶装置に記憶される画像データの構造を示すブロック図
【図５】本発明の画像形成装置の画像データのフローを示すブロック図
【図６】本発明の画像形成装置の画像データの画像処理のフローを示すブロック図
【図７】本発明の実施例１の制御手段を示すフロチャート
【図８】本発明の実施例１の制御手段を示すフロチャート
【図９】本発明の実施例２の制御手段を示すフロチャート
【符号の説明】
【０１２５】
１００１  操作部
１００２  スキャナ部
１００３、１００４  搬送部
１００５  プリント部
１００６、１０１０  排紙部
１００７、１００８、１００９  給紙部
２００１  コントローラ
２００２  操作部
２００３  ネットワークケーブル
２００４  回線ケーブル
２００５  ＣＰＵ
２００６  ＲＡＭ
２００７  インターフェース
２００８  インターフェース
２００９  インターフェース
２０１０  ＲＯＭ
２０１１  ハードディスク
２０１２  ＣＰＵバス
２０１３  インターフェース
２０１４  インターフェース
２０１５  データ圧縮装置
２０１６  インターフェース
２０１７  画像処理装置
２０１８  画像転送バス
２０１９、２０２０  データバス
２０２１  ラスタライズボード（ＲＩＰ）
２０２２  スキャナユニット
２０２３  プリンタユニット
２０２４  イメージバス
【図１】
2006218805.tif 000003
【図２】
2006218805.tif 000004
【図４】
2006218805.tif 000005
【図７】
2006218805.tif 000006
【図８】
2006218805.tif 000007
【図９】
2006218805.tif 000008
【図３】
2006218805.tif 000009
【図５】
2006218805.tif 000010
【図６】
2006218805.tif 000011